(57)【要約】【課題】  広い面のコンクリートを目地切れを有する段差形状に切断できる面コンクリートの段差切断装置を提供する。【解決手段】  板状又は層状の面コンクリートの上に走行させてそれを切断する装置であって、ハンドル付きの走行機に、切断と平行に溝切りするように回転駆動される浅溝カッターを切断カッターに対して内側へ間隔をおいて設け、、さらに、浅溝カッターにより形成される浅溝と、切断カッターにより形成される切断溝との間を浅溝の深さにおいて切削し得るように回転駆動される切削盤を装備した。【選択図】    図１
2005330681.tif 000002
【特許請求の範囲】
【請求項１】
板状又は層状の面コンクリートの上に走行させてそれを切断する装置であって、ハンドル付きの走行機に、切断と平行に溝切りするように回転駆動される浅溝カッターを切断カッターに対して内側へ間隔をおいて設け、、さらに、浅溝カッターにより形成される浅溝と、切断カッターにより形成される切断溝との間を浅溝の深さにおいて切削し得るように回転駆動される切削盤を装備したことを特徴とする面コンクリートの段差切断装置。
【請求項２】
浅溝カッターを切断カッターに対して先行して設け、切断カッターと同軸に切削盤を設けたことを特徴とする請求項１記載の面コンクリートの段差切断装置。
【発明の詳細な説明】
【技術分野】
【０００１】
この発明は、コンクリート舗装道路の復旧等のためにその路面コンクリートを切断し、あるいは、予め造った広いコンクリート板体から敷ブロックを切り出すために使用する面コンクリートの段差切断装置に関する。
【背景技術】
【０００２】
コンクリートの舗装道路が陥没や亀裂等のために破損したときは、その範囲を切り取って新たにコンクリートを打って復旧がなされる。また、水道管の破裂や、水道管や下水管の敷設工事に伴っても同じようにコンクリートで再舗装する復旧がなされることがある。
【０００３】
従来、路面コンクリートを切り取る際には、丸鋸のカッターにより垂直に切断していたが、垂直面の内側にコンクリートを打設すると、硬化に伴う目減り分を割り増しに（やゝ山盛りに）に充填しても、予想に反することが多く既存コンクリートと復旧コンクリートとの間に段差が生じるという問題があった。
【０００４】
一方、歩道や庭に並べる敷ブロックは、一般的に矩形であって、端面がストレートな場合もあるが、段差や凹凸により隣接ブロックと組み合う形状に形成されることがある。いずれの場合も、従来、型にコンクリートを充填して成形していたが、そうすると、成形型のためにコスト高となることはもちろん、コンクリートの硬化に時間が掛かることから必要に即応して製品を提供することができなく、また、成形型の大きさによりブロックの大きさが制約を受け、自由な大きさのブロックに成形できない等の問題があった。
【０００５】
しかも、側面がストレートな垂直面であるときには成形型も簡単な構造であるが、段差が付いているような複雑な形状であると、成形型も複雑となる。したがって、広い面コンクリートを予め造って、それを切り出して段差を有する敷ブロックを成形できるならば好都合である。
【発明の開示】
【発明が解決しようとする課題】
【０００６】
この発明は、上記のような実情に鑑みて、広い面のコンクリートを目地切れを有する段差形状に切断できる面コンクリートの段差切断装置を提供することを目的とした。
【課題を解決するための手段】
【０００７】
上記の課題を解決するために、この発明は、板状又は層状の面コンクリートの上に走行させてそれを切断する装置であって、ハンドル付きの走行機に、切断と平行に溝切りするように回転駆動される浅溝カッターを切断カッターに対して内側へ間隔をおいて設け、、さらに、浅溝カッターにより形成される浅溝と、切断カッターにより形成される切断溝との間を浅溝の深さにおいて切削し得るように回転駆動される切削盤を装備したことを特徴とする面コンクリートの段差切断装置を提供するものである。
【０００８】
面コンクリートの段差切断装置を上記のように構成したから、これを使用するときには、切断カッターを切断線に沿って進行するようにハンドル操作（手押し式或いは自走式など）を行いながら運転すると、切断カッターの内側に浅溝カッターにより浅溝が切断溝と平行に形成され、その両溝の間が切削盤により切削されて浅溝の深さの目地切れが生じる段差面に切断されることになる。
【発明の効果】
【０００９】
以上説明したように、この発明によれば、広い面のコンクリートを目地切れを有する段差形状に切断できるため、路面の復旧工事において、切断面の内側に打設した復旧コンクリートが硬化に伴って既存コンクリートとの間に高低差が生じたとしても、段差がないように目地切れにおいてなだらかに修正でき、また、他の使用の仕方として、予め造った広い面コンクリートを碁盤面のように縦横に切断して切り出すと、その端面に目地切れを有する段差構造の敷ブロックが得られ、いずれの場合においても、段差構造によりコンクリートどうしの安定した強い連結強度が得られるという優れた効果がある。
【発明を実施するための最良の形態】
【００１０】
次に、この発明の実施形態を図面に基づいて説明する。
【００１１】
図１ないし図７は、この発明の一実施の形態および一使用例を示したもので、その面コンクリートの段差切断装置Ｐは、走行機１の一側に、浅溝カッター３と、それに後続する切断カッター５と、切削盤７とをそれぞれ軸回転可能に突設してある。走行機１は、これらの軸回転駆動をなすエンジン又はモータ、変速機等が搭載されているもので、後端にハンドル８を突設している。また、走行のために、先端に左右一対の前車輪１１，１１を設け、後端に高さ調整可能に一の尾部車輪１３が設けられる。
【００１２】
使用例については、舗装道路の復旧に用いた場合を示し、既存の舗装コンクリートとしてしての面コンクリートＴに対して施工される。これには、前車輪１１，１１を支点として走行機１を持ち上げた状態から下ろすことにより前記した浅溝カッター３、切断カッター５、切削盤７が面コンクリートＴに下ろされる。
【００１３】
浅溝カッター３は、回転軸１５が走行機１の側面から少ない間隔をおいて設けられている。また、切断カッター５は、浅溝カッター３よりも径が大きく、回転軸１７が比較的長いために浅溝カッター３の走行位置との間に間隔Ｌを有する。これら浅溝カッター３と切断カッター５には、円形の切断砥石や丸鋸等が用いられる。
【００１４】
切削盤７は、浅溝カッター３と切断カッター５との前記間隔Ｌにほゞ等しい厚みを有する円盤形であって、切断カッター５の回転軸１７に嵌めて固定されている。しかし、切断カッター５に後続する位置（図８参照）に設けても良い。いずれにしても、これには切削砥石を用いることができるが、その他に、周面に切削歯または切削刃を断続的に設けたものも使用できる。
【００１５】
走行機１には、エンジン又はモーター等の回転駆動装置の操作盤が設けられており（図示省略）、これらを駆動させるときには、尾部車輪１３の高さ調整により前車輪１１，１１を支点にして走行機１を持ち上げて操作盤を操作する。そして、浅溝カッター３と切断カッター５と切削盤７とを回転させた状態において、尾部車輪１３を低く設定して走行機１を押し下げ、押し下げながら前進させる。
【００１６】
そうすると、図２、図３に示すように、浅溝カッター３が面コンクリートＴを切断しながら浅溝９を形成し、その後で間隔Ｌをおいて切断カッター５が切断溝１０を形成し、同時に切削盤７が間隔Ｌの範囲を浅溝９の深さまで切削する。図４がこの切削した断面を示したもので、切断溝１０で分けられる面コンクリートＴの一方が目地切れ１９を有する段差構造となっている。この方を残して他方Ｔａが撤去される（図５）
【００１７】
撤去した部分を復旧するには、そこにコンクリートを打設するが、これには、目地切れ１９の部分にも同時にコンクリート（或いはアスファルト）を充填する場合と、そこは残しておく場合とである。いずれの場合も、目減りを見込んでやゝ山盛りに充填される。
【００１８】
図６は残しておく後者のやり方を示したもので、目地切れ１９の部分に桟２１を入れておいて、コンクリートを充填して新設コンクリートＵを造った。同図は目減りを見込んで山盛りにコンクリートを入れた状態を示し、図７は硬化により新設コンクリートＵが目減りした状態を示す。
【００１９】
同図の場合、既存の面コンクリートＴと新設コンクリートＵとに高低差が生じていないが、たとえ生じても目地のコンクリート２０により連続面（目立たないやゝ傾斜面）となるよう修正されることになる。
【００２０】
図８は、他の実施形態を示したもので、走行機１には、浅溝カッター３、切断カッター５、切削盤７が順次配列される。つまり、切断カッター５と切削盤７とは同軸とはしなかった。この場合は、切削盤７が上下駆動されるように、図示はしないが、その駆動装置を設けることが望ましい。
【００２１】
さらに別の実施形態としては、浅溝カッター３と切断カッター５とを同軸に設けても良いし、切断カッター５を先行させても良い。
【００２２】
以上は、道路の補修等に関して使用例を示したが、広くコンクリートで成形した面コンクリートＴを碁盤目状に縦横に同じように切断して、多数の敷ブロックＢを切り出すことができる（図９）。図示の場合、隣接側面が目地切れ１９，１９を有する段差構造となっているが、垂直な二側面についても別途二次加工により同様に段差構造とすることができる。
【図面の簡単な説明】
【００２３】
【図１】本発明の一実施形態を示す面コンクリートの段差切断装置の斜視図である。
【図２】同面コンクリートの段差切断装置を使用状態において示す側面図である。
【図３】同面コンクリートの段差切断装置を使用状態において示す平面図である。
【図４】同使用によって面コンクリートを切断した形状を示す断面図である。
【図５】同使用によって面コンクリートを切断した一方を撤去した状態を示す断面図である。
【図６】同撤去部分に新設コンクリートを打設した状態を示す断面図である。
【図７】同作業により復旧した状態を示す断面図である。
【図８】他の実施形態による面コンクリートの段差切断装置を使用状態において示す側面図である。
【図９】別の使用形態により面コンクリートから切り出した敷ブロックを示す斜視図である。
【符号の説明】
【００２４】
Ｐ  面コンクリートの段差切断装置
Ｔ  面コンクリート
Ｕ  新設コンクリート
１  走行機
３  浅溝カッター
５  切断カッター
７  切削盤
８  ハンドル
９  浅溝
１０  切断溝
１９  目地切れ
【図１】
2005330681.tif 000003
【図２】
2005330681.tif 000004
【図３】
2005330681.tif 000005
【図４】
2005330681.tif 000006
【図５】
2005330681.tif 000007
【図６】
2005330681.tif 000008
【図７】
2005330681.tif 000009
【図８】
2005330681.tif 000010
【図９】
2005330681.tif 000011